(57)【特許請求の範囲】
【請求項１】
貯蔵室の前面開口部を閉塞するように観音開き式の扉を設け、前記扉の裏面周縁に設けられ冷蔵庫本体開口縁に当接するガスケットと、前記扉の非枢支側内面に回転式の仕切体を設けた冷蔵庫において、前記仕切体は、熱伝導性の高い着磁性を有する当板と、前記当板と熱伝導性の低い樹脂材料で仕切体の外郭を構成する外郭構成部材とを備え、熱伝導性の低い樹脂材料である前記外郭構成部材の側面に空間構成部材で覆われた熱交換抑制空間を有し、前記熱交換抑制空間は、前記扉の開閉時における前記仕切体の回転動作時、前記外郭構成部材枢支側最外端部の回転軌跡線の内側に収まるように構成されていることを特徴とする冷蔵庫。
【請求項２】
前記熱交換抑制空間の内部に断熱部材を配設したことを特徴とする請求項１に記載の冷蔵庫。
【請求項３】
前記外郭構成部材は、前記熱交換抑制空間内で熱伝導抑制部を設けたことを特徴とする請求項１または２に記載の冷蔵庫。
【請求項４】
前記空間構成部材は、前記外郭構成部材とツメ形状や穴形状での嵌合構造を備えたことを特徴とする請求項１から３のいずれか一項に記載の冷蔵庫。
【請求項５】
前記仕切体の内部または前記扉の前記仕切体近傍部に湿度センサーを備えたことを特徴とする請求項１から４のいずれか一項に記載の冷蔵庫。
【請求項６】
前記扉は、前記仕切体の非枢支側の側面との間に冷気循環抑制部材を備えたことを特徴とする請求項１から５のいずれか一項に記載の冷蔵庫。
【請求項７】
前記空間構成部材は、前記扉と前記仕切体の枢支側の側面との間に冷気循環抑制部材を固着したことを特徴とする請求項１から６のいずれか一項に記載の冷蔵庫。
【請求項８】
前記空間構成部材は、前記冷気循環抑制部材と一体に形成されたことを特徴とする請求項６または７に記載の冷蔵庫。
【発明の詳細な説明】
【技術分野】
【０００１】
本発明は、回転式仕切体を有する観音開き冷蔵庫の扉装置に関するものである。
【背景技術】
【０００２】
図７は、特許文献１に記載された従来の冷蔵庫の回転式仕切体の分解斜視図、図８は、従来の冷蔵庫の回転式仕切体の基本断面図である。
【０００３】
図７に示すように、仕切体１０１は、断面略コ字状をなす樹脂製の本体１０２と、この本体１０２の上下端部に取り付けられるキャップ１０３と、本体１０２及びキャップ１０３に取り付けられ本体との間に空間を形成する断面略コ字状をなす金属製の当板１０４と、当板１０４と本体１０２とで形成された空間に収納される発泡スチロール等の断熱材１０５と、仕切体１０１を回転させる時の軸となるヒンジ部材１０６から構成されている。
【０００４】
図８に示すように、仕切体１０１は冷蔵庫扉１０７とヒンジ部材１０６によって連結され、蔵庫扉１０７の裏面周縁に設けられ冷蔵庫本体開口縁および当板１０４に当接するガスケット１０８によって貯蔵室の前面開口部を閉塞し密性を確保している。また、仕切体１０１は冷蔵庫扉１０７の開閉に対応してヒンジ部材１０６の回転軸中心１０９を軸として回転し食品の取り出し性を確保している。また、当板１０４と断熱材１０５の間には、当板１０４表面の結露防止用の加熱板１１０を備えている。
【０００５】
これにより、観音開き冷蔵庫において、仕切体１０１の設置された扉を閉じた時だけガスケットの当設面を当板１０４により形成して冷蔵庫内の機密性を確保すると共に食品の取り出し性を向上させ、かつ仕切体１０１内に設置された断熱材１０５により仕切部の断熱性能を向上させることができる。
【先行技術文献】
【特許文献】
【０００６】
【特許文献１】特許第２８０４６８２号公報
【発明の概要】
【発明が解決しようとする課題】
【０００７】
しかしながら、上記従来の構成では、断面略コ字状をなす当板の側面部が冷蔵庫内の冷気により冷やされやすい構成となっており、かつ熱伝導性の高い金属製の当板が、仕切体の冷蔵庫外側露出面の略全面を占有するため、冷蔵庫外へのヒートリーク量が多くなり、消費電力量が多くなるという課題を有していた。
【０００８】
本発明は上記従来の課題を解決するもので、金属性で伝熱性の高い断面略コ字状の当板の側面部と庫内冷気の間の断熱性を高め、当板と庫内冷気との熱交換量を構造的に工夫することでヒートリーク量を低減し、冷蔵庫の消費電力能力を向上させることのできる冷蔵庫の扉装置を提供する事を目的とする。
【課題を解決するための手段】
【０００９】
上記従来の課題を解決するために、本発明の冷蔵庫の扉装置は、貯蔵室の前面開口部を閉塞するように観音開き式の扉を設け、前記扉の裏面周縁に設けられ冷蔵庫本体開口縁に当接するガスケットと、前記扉の非枢支側内面に回転式の仕切体を設けた冷蔵庫において、前記仕切体は、熱伝導性の高い着磁性を有する当板と、前記当板と熱伝導性の低い樹脂材料で仕切体の外郭を構成する外郭構成部材とを備え、熱伝導性の低い樹脂材料である前記外郭構成部材の側面に空間構成部材で覆われた熱交換抑制空間を有し、前記熱交換抑制空間は、前記扉の開閉時における前記仕切体の回転動作時、前記外郭構成部材枢支側最外端部の回転軌跡線の内側に収まるように構成されているものである。
【００１０】
これによって、庫内空間から当板までの距離を大きく設定することができ、当板の熱が外郭構成部材を介して貯蔵室側に伝わり、外郭構成部材の表面と貯蔵室内の冷気とが熱交換することを抑制することができる。
【発明の効果】
【００１１】
本発明の冷蔵庫の扉装置は、仕切体のガスケットが当接する熱伝導性の高い着磁性を有する当板の周縁を仕切体本体の構造で工夫し、熱侵入抑制効果を向上させることで当板からのヒートリーク量を抑制し冷蔵庫の消費電力量を低下させることができる。
【図面の簡単な説明】
【００１２】
【図１】本発明の実施の形態１における冷蔵庫の縦断面図
【図２】本発明の実施の形態１における観音開き式冷蔵庫の概略上面図
【図３】本発明の実施の形態１における観音開き式冷蔵庫扉の要部断面図
【図４】本発明の実施の形態１における観音開き式冷蔵庫左側扉の斜視図
【図５】本発明の実施の形態１における回転式仕切体の平面断面図
【図６Ａ】本発明の実施の形態２における回転式仕切体の平面断面図
【図６Ｂ】本発明の実施の形態３における回転式仕切体の平面断面図
【図６Ｃ】本発明の実施の形態４における回転式仕切体の平面断面図
【図７】従来の冷蔵庫の回転式仕切体の分解斜視図
【図８】従来の冷蔵庫の回転式仕切体の基本断面図
【発明を実施するための形態】
【００１３】
第１の発明は、貯蔵室の前面開口部を閉塞するように観音開き式の扉を設け、前記扉の裏面周縁に設けられ冷蔵庫本体開口縁に当接するガスケットと、前記扉の非枢支側内面に回転式の仕切体を設けた冷蔵庫において、前記仕切体は、熱伝導性の高い着磁性を有する当板と、前記当板と熱伝導性の低い樹脂材料で仕切体の外郭を構成する外郭構成部材とを備え、熱伝導性の低い樹脂材料である前記外郭構成部材の側面に空間構成部材で覆われた熱交換抑制空間を有し、前記熱交換抑制空間は、前記扉の開閉時における前記仕切体の回転動作時、前記外郭構成部材枢支側最外端部の回転軌跡線の内側に収まるように構成されていることにより、庫内空間から当板までの距離を大きく設定することができ、また、前記当板の熱が前記外郭構成部材を介して貯蔵室側に伝わり、前記外郭構成部材の表面と貯蔵室内の冷気とが熱交換することを抑制することでヒートリーク量を低減し冷蔵庫の消費電力能力を向上させることができる。
【００１４】
第２の発明は、第１の発明において、前記熱交換抑制空間の内部に断熱部材を配設したことにより、前記外郭構成部材を介して貯蔵室側に伝わった熱が、前記断熱部材の断熱効果によって前記空間構成部材まで伝わることを抑制し、前記空間構成部材の表面と貯蔵室内の冷気とが熱交換することを抑制することでヒートリーク量を低減し冷蔵庫の消費電力能力を向上させることができる。
【００１６】
第３の発明は、第１または第２の発明において、前記外郭構成部材は、前記熱交換抑制空間内で熱伝導抑制部を設けたことにより、前記当板からの熱が前記外郭構成部材の熱伝導によって前記熱交換抑制空間外まで伝わり、前記外郭構成部材と貯蔵室内の冷気との熱交換を抑制することで、ヒートリーク量を低減し冷蔵庫の消費電力能力を向上させることができる。
【００１７】
第４の発明は、第１から第３のいずれかの発明において、前記空間構成部材は、前記外郭構成部材とツメと穴との嵌合構造を備えたことにより、前記空間構成部材を容易に組み立てることが可能となり作業性の向上を図れるとともに、前記空間構成部材の取付け強度の確保を行うことができる。
【００１８】
第５の発明は、第１から第４のいずれかの発明において、前記仕切体の内部または前記扉の前記仕切体近傍部に湿度センサーを備えたことにより、前記当板裏面に配設された前記当板外気側表面の結露防止用加熱部材の熱量を、外気温度や湿度と対応した結露しない最低温度に調節しすることができることで、当板からの侵入熱量を抑制することができ、冷蔵庫の消費電力能力を向上させることができる。
【００１９】
第６に記載の発明は、第１から第５のいずれかの発明において、前記扉は、前記仕切体の非枢支側の側面との間に冷気循環抑制部材を備えたことにより、前記扉の開閉時の回転動作における、前記扉の開閉動作に必要な前記扉と前記仕切体間の空間を遮蔽することができ、貯蔵室内の冷気が前記当板まで到達し熱交換することを抑制できるため、ヒートリーク量を低減し冷蔵庫の消費電力能力を向上させることができる。
【００２０】
第７に記載の発明は、第１から第６のいずれかの発明において、前記空間構成部材は、前記扉と前記仕切体の枢支側の側面との間に冷気循環抑制部材を固着したことにより、前記扉の開閉時における前記仕切体の回転軸を中心とした回転動作に必要な前記扉との空間を、前記冷気循環抑制部材によって遮蔽することができ、貯蔵室内の冷気が前記当板まで到達し熱交換することを抑制できるため、ヒートリーク量を低減し冷蔵庫の消費電力能力を向上させることができる。
【００２１】
第８に記載の発明は、第６または第７の発明において、前記空間構成部材は、前記冷気循環抑制部材と一体に形成されたことにより、組立て工数を削減できるとともに、前記冷気循環抑制部材の固定に必要な形状を削減できることで前記熱交換抑制空間の大きさ確保
ができ、ヒートリーク量を低減し冷蔵庫の消費電力能力を向上させることができる。
【００２２】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２３】
（実施の形態１）
図１は、本発明の実施の形態１における冷蔵庫の縦断面図、図２は、本発明の実施の形態１による観音開き式冷蔵庫の概略上面図、図３は、本発明の実施の形態１による観音開き式冷蔵庫扉の要部断面図、図４は、本発明の実施の形態１における観音開き式冷蔵庫左側扉の斜視図、図５は、本発明の実施の形態１における回転式仕切体の平面断面図である。
【００２４】
図１において、冷蔵庫３０の断熱箱体３１は主に鋼板を用いた外箱３２とＡＢＳなどの樹脂で成型された内箱３３とで構成され、その内部には例えば硬質発泡ウレタンなどの発泡断熱材３４が充填、周囲と断熱され、複数の貯蔵室に区分されている。最上部に冷蔵室３５、その冷蔵室３５の下部に切替室３６、そして最下部に冷凍室３７が配置される構成となっている。
【００２５】
冷蔵室３５の前面開口部には冷蔵室ドア３８、切替室３６の前面開口部には切替室ドア３９、冷凍室３７の前面開口部には冷凍室ドア４０が、それぞれの前面開口部を開閉自在に枢支されている。
【００２６】
冷蔵室３５は冷蔵保存のために凍らない温度を下限に通常１℃〜５℃とし、切替室３６は冷凍温度帯から冷蔵温度帯の温度切替設定が可能で、−１８〜４℃まで１℃間隔で設定することができる。冷凍室３７は冷凍温度帯に設定されており、冷凍保存のために通常−２２℃〜−１５℃で設定されているが、冷凍保存状態の向上のために、例えば−３０℃や−２５℃の低温で設定されることもある。
【００２７】
図２において、冷蔵庫３０の収納庫は両開き式の一対の扉によって開閉されるものであり、この一対の扉をなす冷蔵室扉左３８ａと冷蔵室扉右３８ｂは、それぞれ外側がヒンジにより冷蔵庫３０に軸支持されている。
【００２８】
図３、図４に示すように、冷蔵室扉左３８ａと冷蔵室扉右３８ｂは、外面材４１と、内面材４２、上下キャップから構成される閉空間に断熱材４３を充填して扉本体が構成される。冷蔵室扉左３８ａの開放端側には、冷蔵室扉右３８ｂ側へ進退する様に回動する仕切体５０が内面材４２に取り付けている。
【００２９】
仕切体５０の上下には、回転軸を備えた取付け用部材４５が冷蔵室扉左３８ａへ回動する様に取り付けられている。仕切体５０の庫内側にはスプリングが取付けられており、冷蔵室扉左３８ａの開閉に連動してスプリングの力を利用した機構により、仕切体５０が回動を行う。
【００３０】
また、冷蔵室扉左３８ａと冷蔵室扉右３８ｂの内面材４２には、冷蔵室３５の前面開口部を封止するためのガスケット４４が配設されている。
【００３１】
図５において、着磁性を有する金属製の当板５１を備えた仕切体５０は、樹脂部材である外郭構成部材５２とで、外郭の形状が形成されている。
【００３２】
当板５１は、断面略コ字形状をしており、両側面に形成したツメや固定用ビスにより、外郭構成部材５２へ固定されている。当板５１の内側には、当板５１表面の結露を防止する為の加熱板５４が当板５１の裏面略全面にわたり貼り付けられている。当板５１と外郭構成部材５２とで構成された仕切体内部の空間には、断熱部材５５が構成されている。
【００３３】
仕切体５０の取付け用部材４５は回転軸を備えており、回転軸の中心５６は、当板５１と外郭構成部材５２が構成する外郭の基本形状の外側に位置するよう構成されている。また、前記当板５１裏面には、加熱板５４が全面的に貼り付けられている。
【００３４】
前記仕切体５０の枢支側の側面に設けられた熱交換抑制空間５９は、外郭構成部材５２の側面と空間構成部材６０によって構成されており、また、熱交換抑制空間５９内の前記外郭構成部材５２の側面には熱伝導抑制部６１が設けられている。前記熱伝導抑制部６１は切欠き穴や薄肉化によって行われるものである。熱伝導抑制部６１は、当板５１の側面の先端部より貯蔵室側で構成されている。
【００３５】
熱交換抑制空間５９は前記当板５１の側面を覆うように位置しており、また、前記冷蔵室扉左３８ａの開閉時における仕切体５０回転動作時の外郭構成部材５２枢支側最外端部の回転軌跡線の内側に収まるように構成されている。
【００３６】
以上のように構成された冷蔵庫の扉装置について、以下その動作、作用を説明する。
【００３７】
当板５１は断面略コ字形状の金属製であるため、仕切体５０の強度を高めることができ、仕切体５０の変形に起因したガスケット当接面の隙による庫内冷気漏れを防止すること
ができる。また、ガスケット４４に含まれるマグネットが吸着し易いため、前記変形などによる当接条件悪化時に、ガスケット当接面の隙による庫内冷気漏れをさらに防止することができる。また、加熱板５４からの熱量を効率よく吸収することができ、加熱板５４による過度な発熱量を抑制し冷蔵庫の消費電力量の低減に寄与することができる。
【００３８】
また、当板５１は周縁を金属にくらべ伝熱能力の低い樹脂製の外郭構成部材５２により囲われ、かつ発泡断熱体などの断熱部材５５により庫内冷気からの伝熱を受けやすい当板５１側面部の断熱能力を高めている。
【００３９】
さらに、外郭構成部材５２の側面と空間構成部材６０によって構成された熱交換抑制空間５９が、外郭構成部材５２の側面部に設けられていることで、当板５１側面部と貯蔵室間の距離を大きくとることができ、さらに対流のない空間が当板５１側面部の断熱能力を高めている。
【００４０】
また、仕切体５０の回転軸の中心５６は、基本断面で見た場合、熱交換抑制空間５９を構成する空間構成部材６０の内側に配置することにより、当板５１と庫内までの距離を拡大することができ、当板５１周囲の断熱性をさらに高めることができる。
【００４１】
また、回転軸の中心５６は当板５１の側面部の外側に位置しており、仕切体５０の回転操作性を確保すると共に、当板５１の側面部から庫内までの距離を十分に確保することができ、ヒートリーク量の抑制効果をさらに向上させることができる。
【００４２】
空間構成部材６０は、仕切体５０の回転動作においても冷蔵室扉左３８ａと接触をしない位置を結んだ線である回転軌跡線に沿った曲面形状をしており、冷蔵室扉左３８ａの開閉に応じて回転する仕切体５０は内面材４２と干渉することなく動作を行う。冷蔵室扉左３８ａを開いた時、前述したように仕切体５０は回転軸の中心５６を軸として回転を行い所定の位置で回転を停止するが、回転時の勢いにより内面材４２と衝突する場合は外郭構成部材５２に固着された緩衝材によって衝撃を緩和し衝撃音の抑制を行う。
【００４３】
外郭構成部材５２の当板５１接触部の近傍には基本板厚の薄肉化または切欠き穴で形成した熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、貯蔵室内空間と熱交換する量を低減し消費電力量の低減に寄与することができる。熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００４４】
（実施の形態２）
図６Ａは、本発明の実施の形態２における回転式仕切体の平面断面図である。
【００４５】
図６Ａにおいて、外郭構成部材５２の側面と空間構成部材６０によって構成され、仕切体５０の側面に設けられた熱交換抑制空間５９は、内部に空間内断熱部材６２を備えている。
【００４６】
また、熱交換抑制空間５９内の前記外郭構成部材５２の側面には、切欠き穴や薄肉化によって形成された熱伝導抑制部６１が設けられている。熱伝導抑制部６１は、当板５１の側面の先端部より貯蔵室側で構成されている。
【００４７】
また、仕切体５０の両側面に熱交換抑制空間５９は設けられており、前述同様に空間内断熱部材６２や熱伝導抑制部６１が設けられている。
【００４８】
熱交換抑制空間５９は前記当板５１の側面を覆うように位置しており、また、冷蔵室扉左３８ａの開閉時における仕切体５０回転動作時、および冷蔵室扉右３８ｂの開閉時において、部品干渉のない回転軌跡の内側に収まるように構成されている。
【００４９】
以上のように構成された冷蔵庫について、以下その動作・作用を説明する。なお、実施の形態１と同様である動作・作用についての説明は省略する。
【００５０】
外郭構成部材５２の側面と空間構成部材６０によって構成された熱交換抑制空間５９は、外郭構成部材５２の側面部に設けられていることで、当板５１側面部と貯蔵室間の距離を大きくとることができ断熱能力を高めており、さらに熱交換抑制空間５９内に空間内断熱部材６２を備えることで、当板５１側面部の断熱効果がさらに向上し、貯蔵室内空間と熱交換する量を低減し消費電力量の低減に寄与することができる。
【００５１】
また、外郭構成部材５２の当板５１接触部の近傍には基本板厚の薄肉化または切欠き穴で形成した熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、庫内空間と熱交換する量を低減し消費電力量の低減に寄与することができる。熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００５２】
また、外郭構成部材５２の側面と空間構成部材６０によって構成された熱交換抑制空間５９は、外郭構成部材５２の両側面に構成されており、当板５１側面部の断熱効果をさらに向上させることができる。さらに、熱伝導抑制部６１も同様に外郭構成部材５２の両側面に構成することで、効果をより向上させることができる。
【００５３】
（実施の形態３）
図６Ｂは、本発明の実施の形態３における回転式仕切体の平面断面図である。
【００５４】
図６Ｂにおいて、外郭構成部材５２の側面と空間構成部材６０によって構成され、仕切体５０の側面に設けられた熱交換抑制空間５９は、内部に空間内断熱部材６２を備えている。熱交換抑制空間５９内の前記外郭構成部材５２の側面には、切欠き穴によって形成された熱伝導抑制部６１が設けられている。熱伝導抑制部６１は、当板５１の側面の先端部より貯蔵室側で構成されている。熱交換抑制空間５９内部に備えられた空間内断熱部材６２は、切欠き穴である熱伝導抑制部６１から外郭構成部材５２の内部に差し込んだ状態で配置されている。
【００５５】
また、空間構成部材６０は、外郭構成部材５２と空間構成部材嵌合部６６にて嵌合固定されており、外郭構成部材５２の外側には着脱可能で柔軟な材質で成形された枢支側冷気循環抑制部材６３が、冷気循環抑制部材嵌合部６７にて嵌合固定されている。枢支側冷気循環抑制部材６３は、冷蔵室扉左３８ａの一部と接触することで冷気の循環を抑制している。
【００５６】
また、枢支側冷気循環抑制部材６３と同様に柔軟な材質で成形された非枢支側冷気循環抑制部材６４は、固定部材６５によって冷蔵室扉右３８ｂへ固定されている。前記非枢支側冷気循環抑制部材６４は、外郭構成部材５２の一部と接触することで冷気の循環を抑制している。
【００５７】
熱交換抑制空間５９は前記当板５１の側面を覆うように位置しており、また、冷蔵室扉
左３８ａの開閉時における仕切体５０回転動作時、および冷蔵室扉右３８ｂの開閉時において、部品干渉のない回転軌跡の内側に収まるように構成されている。
【００５８】
以上のように構成された冷蔵庫について、以下その動作・作用を説明する。なお、実施の形態１または２と同様である動作・作用についての説明は省略する。
【００５９】
外郭構成部材５２の側面と空間構成部材６０によって構成された熱交換抑制空間５９は、外郭構成部材５２の側面部に設けられていることで、当板５１側面部と貯蔵室間の距離を大きくとることができ断熱能力を高めており、さらに熱交換抑制空間５９内に空間内断熱部材６２を備えることで、当板５１側面部の断熱効果がさらに向上し、庫内空間と熱交換する量を低減し消費電力量の低減に寄与することができる。
【００６０】
また、外郭構成部材５２の当板５１接触部の近傍には切欠き穴で形成した熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、庫内空間と熱交換する量を低減し消費電力量の低減に寄与することができる。熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００６１】
熱交換抑制空間５９内部に備えられた空間内断熱部材６２は、切欠き穴である熱伝導抑制部６１の内部もしくは通過させた状態で配置されたことにより、外郭構成部材５２の熱が熱伝導により貯蔵室内へ侵入する経路の断熱性を高め、貯蔵室内空間と熱交換する量を低減することができる。
【００６２】
熱交換抑制空間５９は、冷蔵室扉左３８ａの開閉時における仕切体５０回転動作時、および冷蔵室扉右３８ｂの開閉時において、部品干渉のない回転軌跡の内側に収まるように構成されていることにより、仕切体５０と冷蔵室扉左３８ａおよび冷蔵室扉右３８ｂの間には隙間が必要となる。仕切体５０と冷蔵室扉左３８ａの隙を循環する冷気を枢支側冷気循環抑制部材６３によって遮蔽することで、冷気とガスケット４４を介した外気との熱交換を抑制することができる。同様に仕切体５０と冷蔵室扉右３８ｂの隙を循環する冷気を非枢支側冷気循環抑制部材６４によって遮蔽することで、冷気とガスケット４４を介した外気との熱交換を抑制することができる。
【００６３】
空間構成部材６０は、外郭構成部材５２と空間構成部材嵌合部６６にて嵌合固定されることにより、組立て時の作業が容易であり、また、固定部材が不要であるため部品点数の削減を行うことができる。
【００６４】
枢支側冷気循環抑制部材６３は、空間構成部材６０に設けられた冷気循環抑制部材嵌合部６７にて嵌合固定されることによって、組立て時の作業が容易であり、また、仕切体５０の縦方向に沿った部材とすることで、柔軟性を持った材質での押し出し成形加工が可能となり、部材のコスト抑制を行うことが出来る。
【００６５】
（実施の形態４）
図６Ｃは、本発明の実施の形態３における回転式仕切体の平面断面図である。
【００６６】
図６Ｃにおいて、外郭構成部材５２の側面と空間構成部材６０によって構成され、仕切体５０の側面に設けられた熱交換抑制空間５９は、内部に空間内断熱部材６２を備えている。熱交換抑制空間５９内の前記外郭構成部材５２の側面には、切欠き穴によって形成された熱伝導抑制部６１が設けられている。熱伝導抑制部６１は、当板５１の側面の先端部
より貯蔵室側で構成されている。熱交換抑制空間５９内部に備えられた空間内断熱部材６２は、切欠き穴である熱伝導抑制部６１から外郭構成部材５２の内部に差し込んだ状態で配置されている。
【００６７】
また、空間構成部材６０は、外郭構成部材５２と空間構成部材嵌合部６６にて嵌合固定されており、外郭構成部材５２の外側には柔軟な材質で成形された枢支側冷気循環抑制部材６３が一体で成形されている。枢支側冷気循環抑制部材６３は、冷蔵室扉左３８ａの一部と接触することで冷気の循環を抑制している。
【００６８】
また、枢支側冷気循環抑制部材６３と同様に柔軟な材質で成形された非枢支側冷気循環抑制部材６４は、固定部材６５によって冷蔵室扉右３８ｂへ固定されている。前記非枢支側冷気循環抑制部材６４は、外郭構成部材５２の一部と接触することで冷気の循環を抑制している。
【００６９】
熱交換抑制空間５９は前記当板５１の側面を覆うように位置しており、また、冷蔵室扉左３８ａの開閉時における仕切体５０回転動作時、および冷蔵室扉右３８ｂの開閉時において、部品干渉のない回転軌跡の内側に収まるように構成されている。
【００７０】
また、冷蔵室扉右３８ｂは湿度センサー６８を備えており、冷蔵室扉左３８ａと冷蔵室扉右３８ｂの左右扉間であり、仕切体５０の当板５１正面付近に配設されている。
【００７１】
以上のように構成された冷蔵庫について、以下その動作・作用を説明する。なお、実施の形態１から３のいずれかと同様である動作・作用についての説明は省略する。
【００７２】
外郭構成部材５２の側面と空間構成部材６０によって構成された熱交換抑制空間５９は、外郭構成部材５２の側面部に設けられていることで、当板５１側面部と貯蔵室間の距離を大きくとることができ断熱能力を高めており、さらに熱交換抑制空間５９内に空間内断熱部材６２を備えることで、当板５１側面部の断熱効果がさらに向上し、庫内空間と熱交換する量を低減し消費電力量の低減に寄与することができる。
【００７３】
また、外郭構成部材５２の当板５１接触部の近傍には切欠き穴で形成した熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、庫内空間と熱交換する量を低減し消費電力量の低減に寄与することができる。熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００７４】
熱交換抑制空間５９内部に備えられた空間内断熱部材６２は、切欠き穴である熱伝導抑制部６１の内部もしくは通過させた状態で配置されたことにより、外郭構成部材５２の熱が熱伝導により貯蔵室内へ侵入する経路の断熱性を高め、貯蔵室内空間と熱交換する量を低減することができる。
【００７５】
熱交換抑制空間５９は、冷蔵室扉左３８ａの開閉時における仕切体５０回転動作時、および冷蔵室扉右３８ｂの開閉時において、部品干渉のない回転軌跡の内側に収まるように構成されていることにより、仕切体５０と冷蔵室扉左３８ａおよび冷蔵室扉右３８ｂの間には隙間が必要となる。仕切体５０と冷蔵室扉左３８ａの隙を循環する冷気を枢支側冷気循環抑制部材６３によって遮蔽することで、冷気とガスケット４４を介した外気との熱交換を抑制することができる。同様に仕切体５０と冷蔵室扉右３８ｂの隙を循環する冷気を非枢支側冷気循環抑制部材６４によって遮蔽することで、冷気とガスケット４４を介した
外気との熱交換を抑制することができる。
【００７６】
空間構成部材６０は、外郭構成部材５２と空間構成部材嵌合部６６にて嵌合固定されることにより、組立て時の作業が容易であり、また、固定部材が不要であるため部品点数の削減を行うことができる。
【００７７】
枢支側冷気循環抑制部材６３は、空間構成部材６０と一体で成形されたことによって、組立て時の作業が不要となり組立て工数の削減を行うことができ、また、枢支側冷気循環抑制部材６３の固定に必要な形状が不要であるため熱交換抑制空間５９の形状の最大化が可能となり、熱交換抑制空間５９の熱交換抑制効果を高めることができる。
【００７８】
また、冷蔵室扉右３８ｂに備えられた湿度センサー６８は、仕切体５０の当板５１正面付近の湿度を感知することで、当板５１裏面に貼り付けられた加熱板５４の熱量を当板５１が結露しない最適な状態に調節することができ、消費電力量の低減を行うことができる。
【産業上の利用可能性】
【００７９】
以上のように、本発明にかかる冷蔵庫は、当板からのヒートリーク量を抑制し冷蔵庫の消費電力能力を向上させることができるため、仕切部材を有する観音開き式の扉装置を備えたあらゆる冷却機器に適用できる。
【符号の説明】
【００８０】
３８ａ  冷蔵室扉左
３８ｂ  冷蔵室扉右
４１  外面材
４２  内面材
４３  断熱材
４４  ガスケット
４５  取付け用部材
５０  仕切体
５１  当板
５２  外郭構成部材
５４  加熱板
５５  断熱部材
５６  回転軸の中心
５９  熱交換抑制空間
６０  空間構成部材
６１  熱伝導抑制部
６２  空間内断熱部材
６３  枢支側冷気循環抑制部材
６４  非枢支側冷気循環抑制部材
６５  固定部材
６６  空間構成部材嵌合部
６７  冷気循環抑制部材嵌合部
６８  湿度センサー
【図１】
0005909636.tif 000002
【図２】
0005909636.tif 000003
【図３】
0005909636.tif 000004
【図４】
0005909636.tif 000005
【図５】
0005909636.tif 000006
【図６Ａ】
0005909636.tif 000007
【図６Ｂ】
0005909636.tif 000008
【図６Ｃ】
0005909636.tif 000009
【図７】
0005909636.tif 000010
【図８】
0005909636.tif 000011